(57)【要約】【課題】  電池残量が少なくなった状況でも撮影を続けたいという要求に対して、安定した記録を確保しつつ、電池の延命化を図ることのできるディスクカメラを提供することを目的とする。【解決手段】  バッテリ残量値が所定値よりも小さい場合に、バッファメモリが記録許容量を超えると撮像装置の停止と共に、ディスク記録装置を起動することにより、ディスク状記憶媒体にバッファメモリ内の撮像データを記録する交互動作モードに切換える。【選択図】  図４
2006025214.tif 000002
【特許請求の範囲】
【請求項１】
情報を撮りこむための撮像装置と、
前記撮像装置に撮りこまれた撮像データを、一時的に保存するためのバッファメモリと、
前記バッファメモリの前記撮像データをディスク状記録媒体に記録再生するためのディスク記録装置と、
電池の残存電力を検出する電池残量検出手段とからなるディスクカメラにおいて、
前記電池残量検出手段から検出された電池残量が所定値よりも小さく、かつ前記バッファメモリが記録許容量を超えた場合には、
前記撮像装置の停止と共に、前記ディスク記録装置を起動することにより、
前記ディスク状記憶媒体に前記バッファメモリ内の撮像データを記録する交互動作モードを有することを特徴とするディスクカメラ。
【請求項２】
前記ディスク記憶装置の作動中に、
前記電池残量が所定値よりも小さくなり、かつ交互動作モードが選択された場合は、
前記撮像装置を作動させないで、前記バッファメモリ内の撮像データを前記ディスク状記録媒体に記録してから交互動作モードに移行することを特徴とする請求項１に記載のディスクカメラ。
【請求項３】
前記バッファメモリに記憶された前記撮影データを全て前記ディスク記憶装置に記録した後に、前記ディスク記憶装置を停止すると共に、前記撮像装置を再起動することを特徴とする請求項１に記載のディスクカメラ。
【請求項４】
前記所定値は、前記撮像装置の動作している場合に、前記ディスク状記録媒体への記録を行うことが可能な電池残量以上であることを特徴とする請求項１に記載のディスクカメラ。
【請求項５】
前記電池残量検出手段により電池残量が所定値よりも小さくなった場合、ユーザーに対し警告を発生する請求項１に記載のディスクカメラ。
【請求項６】
前記電池残量検出手段により検出した電池残量に応じて、前記バッファメモリの記録許容量を適応的に設定する請求項１に記載のディスクカメラ。
【発明の詳細な説明】
【技術分野】
【０００１】
本発明は、ディスク記憶装置を用いたカメラに関するものであり、特に動画像・静止画像を撮影記録する電池で駆動されるディスクカメラに関するものである。
【背景技術】
【０００２】
従来、ディスク装置を用いたカメラにおける電池寿命の延命に関して例えば特開２０００−２５３３０３号公報に開示されるようなカメラがあった。これは、電池残量が少なくなったら、表示用ＬＣＤを停止、撮像系のＡＦを停止または再生モードの停止することにより電池を最後まで有効に使い切る装置である。
【０００３】
また、特開２００３−０９１９３０号公報に開示されるものは、電池残量が所定値以下になったら、記録を一時停止し、さらにバッファメモリ（ショックプルーフメモリ）内に残っているデータ量が、残りの電池容量で全部書き込めるか判断し、書き込める場合は記録して、書き込めないときは記録しないことにより、データをディスクに書き込み中に電池切れになることを防ぐものである。
【特許文献１】特開２０００−２５３３０３号公報
【特許文献２】特開２００３−０９１９３０号公報
【発明の開示】
【発明が解決しようとする課題】
【０００４】
上記の特開２０００−２５３３０３号公報においては、ＬＣＤ等の表示手段への供給を一切停止するなど撮像系の動作を順次制限して消費電力を低減させることにより、電池寿命の延命を図るものである。しかし、メモリ内に蓄積されたデータをディスクへの安定した記録処理に関しての言及がなく、記録処理に課題が残る。
【０００５】
また、特開２００３−０９１９３０号公報においては、電池残量が少なくなった場合において、記録途中で電池切れにならないようにする為のディスクへの安定した記録に関するものであるが、記録に関係しない機能に対する電流供給の制限に関する制御ついては述べられていなく、電池の延命化を図る具体的な手段までは言及されていない。
【０００６】
そこで、本発明は電池残量が少なくなった状況でも長く撮影を続けたいという要求に対して、安定した記録を確保しつつ、電池の延命化を図ることのできるディスクカメラを提供することを目的とする。
【課題を解決するための手段】
【０００７】
本発明の目的は、情報を撮りこむための撮像装置と、撮像装置に撮りこまれた撮像データを、一時的に保存するための半導体メモリと、半導体メモリの前記撮像データをディスク状記録媒体に記録再生するためのディスク記録装置と、電池の残存電力を検出する電池残量検出手段とからなるディスクカメラにおいて、前記電池残量検出手段から検出された電池残量が所定値よりも小さく、かつ前記半導体メモリが記録許容量を超えた場合には、前記撮像装置の停止と共に、前記ディスク記録装置を起動することにより前記ディスク状記憶媒体に前記メモリ内の撮像データを記録することを特徴とするディスクカメラにより達成される。
【発明の効果】
【０００８】
本発明によって、電池残量が少なくなった状況でも、安定した記録を確保しつつ、電池の延命化を図ることができる。
【発明を実施するための最良の形態】
【０００９】
（第１の実施例）
以下において、本発明に係るディスクカメラの第1実施形態を説明する。図１に本発明に係る装置の第１の実施形態を示す。
【００１０】
図１において、１０は撮像系でありズームレンズ等の光学系及びＣＣＤ等の撮像素子より構成される。１１はショックプルーフメモリであり、撮像系１０で撮像した映像信号を一時保持するものである。また、光ディスクに記録されている映像信号を再生する際にも、映像信号を保持するのに利用される。このメモリにより振動等によりディスクへの記録が一時停止されるような場合にも対処可能な構成となっている。
【００１１】
１２は光ディスク装置であり、ＤＶＤ等の光ディスクに前記ショックプルーフメモリ１１に保持されているデータを記録する。
【００１２】
１３はユーザＩＦであり、撮影中の映像信号を表示するＬＣＤ、モード選択のためのボタン等から構成される。
【００１３】
１４はユーザＩＦ部１３からの信号を基に記録の開始、終了のタイミングを制御したり、電池の状態を監視するなど全体の制御を行うコントローラである。
【００１４】
１５は電池部であり、ディスクカメラを駆動するための電源を供給するものである。本実施例に示すディスクカメラは基本的には電池により駆動されるがＡＣ電源による駆動に対応することも可能である。
【００１５】
図２は、撮像系１０の内部構成図である。図２において、１０１はズームレンズであり、１０２はＣＣＤ等の撮像素子である。１０３は信号処理部でありアンプ、ＡＤ／ＤＡ変換器等により撮像素子から出力される信号を処理する。
【００１６】
１０４は映像信号の圧縮・伸張部であり信号処理部１０３でデジタル化されたデジタル映像信号をＭＰＥＧ２等の規格に準拠した圧縮信号に変換する。圧縮された信号は、前記ショックプルーフメモリ１１に保持される。
【００１７】
図３は、光ディスク装置１２の内部構成図である。図３において２０１は光ディスクであり、ＤＶＤ等の記録媒体を用いることができる。２０２はスピンドルモータであり、前記光ディスクを所定の回転数で回転駆動する。２０３は光ピックアップであり、対物レンズ、レーザー、センサ等により構成される。
【００１８】
２０４は、レーザー駆動回路であり記録の際には記録する信号に応じてレーザーを制御し、再生の際には所定のパワーとなるようにレーザーを制御する。
【００１９】
２０５は、サーボ制御を行うためのドライバであり、光ディスクの記録面に合焦するように光ピックアップ２０３を制御するフォーカス制御部、また光ピックアップが光ディスクの記録トラックに追従するように制御するトラッキング制御部などから構成される。
【００２０】
２０６はＲＦ信号処理部であり、光ディスクからの再生信号を処理するアンプ、ＡＤ変換器、フィルタ、復号器等により構成される。
【００２１】
２０７はドライブ制御部であり、ドライブ全体の監視及び制御を行うものである。
【００２２】
次に、本実施例に係るディスクカメラの動作について説明する。まず基本的な動作シーケンスに沿って説明する。
【００２３】
ユーザーにより電源ＯＮされると、図１のコントローラ１４により検知され各部に電池部１５から電力が供給される。電力が供給されると各部は所定のシーケンスに従って初期化される。次に、ユーザーＩＦ部１３を介してモードが撮影または再生のいずれであるかコントローラ１４が検知する。
【００２４】
撮影モードは、撮像系１０を介して得られた映像信号を光ディスク装置１２においてディスクに記録するものであり、再生モードは光ディスク装置１２においてディスクに記録されている映像データを再生するものである。
【００２５】
撮影モードの場合、ユーザーＩＦ部１３において撮影開始ボタンが押されると、コントローラ１４は撮影開始信号を検知して、撮像系１０を制御することにより撮影された映像信号が圧縮・伸張部１０４において逐次圧縮され、ショックプルーフメモリ１１の所定の領域に保持される。また、撮影中の映像信号は信号処理部１０３より表示ＬＣＤ９０１に出力され表示される。図１４にユーザーＩＦ部の概略を示す。表示ＬＣＤ９０１と各種ボタン類から構成される。
【００２６】
また、光ディスク装置１２はドライブ制御部２０７により制御されて、スピンドルモータ２０２が所定の回転数で回転駆動され、レーザーが駆動されてフォーカスサーボ、トラッキングサーボ動作により、光ディスク２０１と光ピックアップの位置が所定の状態となるように制御される。
【００２７】
前記ショックプルーフメモリ１１に保持されている映像データは、コントローラ１４からの制御信号に応じて所定のタイミングで光ディスク装置１２に供給される。光ディスク装置１２においては、供給される映像データを基にレーザーが駆動され、光ディスク２０１に映像データが記録される。
【００２８】
上記の動作により、撮像系により取得される映像信号が、ショックプルーフメモリを介して光ディスクに記録される。
【００２９】
ここで、ショックプルーフによる間欠動作について説明する。
【００３０】
図６は、メモリのデータ蓄積量Ｍと省電力動作のタイミングを示したものである。
【００３１】
図６（ａ）は、横軸に時間、縦軸にメモリへのデータ蓄積量を示したタイミングチャートである。
【００３２】
同図（ｂ）はドライブ装置の間欠駆動タイミングを示している。ドライブ装置はメモリ蓄積量を監視しながら間欠動作でディスクにデータの記録を行い、Ｈ区間でドライブ駆動、Ｌ区間でドライブ停止を示している。
【００３３】
同図（ｃ）はメモリからのデータ読み出しを制御するタイミング信号であり、Ｈ区間でメモリからデータが読み出されディスクに記録される。
【００３４】
いま、撮影記録開始の上位コマンドが発行され、不図示の時刻ｔ０において、映像信号が所定の圧縮処理を経てメモリに蓄積開始される。縦軸に示すＡはメモリ容量の最大値であり、少なくとも数十秒以上の撮像信号を蓄積するのに十分な容量を備えている。撮像記録中、メモリへのデータ蓄積は所定の転送レートで継続される。メモリ容量ＭがＭ≧Ｂとなる時刻ｔ１で休止していたドライブが起動される。起動後、時刻ｔ２でメモリからデータ読み出しが開始されディスクへの記録が行われる。メモリからのデータ読み出しレートは、蓄積レートに比べて数倍高速となっている。時刻ｔ３になったところで、読み出しタイミング信号（ｃ）にしたがって、メモリからのデータ読み出しが終了し、ドライブ動作が休止に移行する。ここで、通常撮影の場合にはドライブが起動される基準となるメモリの許容蓄積量は、メモリ容量の最大値Ａよりも小さい値である。これは、ドライブ起動後も撮影は継続されているので、メモリ蓄積量が記録開始までの間にさらに多少増加するために、その分の余裕が必要だからである。従って、図６に示すメモリの許容量Ｂ及びＣもメモリ容量の最大値Ａより小さい。
【００３５】
上記の間欠動作により、光ディスク装置１２は所定のタイミングで起動され、メモリ内のデータを記録、その後休止というシーケンスを行うことにより消費電力を抑制する。
【００３６】
次に、図７において電池残量の変動について説明する。
【００３７】
図７を用いて具体的に説明する。Ｖ１は電池端子電圧（平滑値）であり、Ｖ２は電池交換警告しきい値である。システムは、Ｖ１電池端子電圧がＶ２しきい値を下回ったことを検知した場合、装置電源のシャットダウンを行うとともに、ユーザーに電池交換を促す警告を発するものであった。従来、電池交換しきい値Ｖ２は、最大消費電力Ｖ３を想定して設定されている。これは撮像系、光ディスク装置、表示ＬＣＤ等が同時に動作している状態である。しかし、各制御対象を個別に動作または休止することが出来れば、瞬間的に低下する電圧を小さくすることができ、Ｖ２しきい値を下回るまで電池寿命を延命することができる。
【００３８】
図１０は電池部１５の内部構成図である。電池８００と電池残量を検知する電池残量検出部８０１からなる。
【００３９】
以下、本実施例は省電力のための制御について説明する。
【００４０】
図５は、本実施例のディスクカメラの交互動作モードへ移るまでの動作フローである。Ｓ５０１で撮影が開始されると、コントローラ１４は電池残量検出部８０１の信号を確認する。Ｓ５０２で電池端子電圧が交互動作モードへ移行する際のしきい値Ｚ１以下である場合は、Ｓ５０３においてユーザーＩＦ部１３の表示ＬＣＤ９０１に警告を表示する。次に、Ｓ５０４において撮影動作モードの選択を行う。これはＬＣＤに選択を促す表示を行い、対応するボタン等を押してもらうようにすることが可能である。
【００４１】
そして、Ｓ５０５の交互動作選択モードで交互動作モードが選択されて、記録装置によってディスクに記録されている場合には、Ｓ５０６においてショックプルーフメモリ内に残っている撮像データを記録装置によってディスクに記録し、その際に撮像装置の動作の有無に関わらずＳ５０７において撮像装置を作動停止状態にする。そして、Ｓ５０８では、ディスクドライブによってショックプルーフ内に残っている撮像データを全てディスクに記録してから、Ｓ５０９の交互動作モードに移行して以下で説明する交互動作により撮影を継続する。
【００４２】
ここで、交互撮影モードを選択しなかった場合には、その時点で電池交換を促すことも可能である。また、Ｓ５１０で通常撮影モードを選択した場合は、交互撮影モードに対して最大消費電力が大きくなるため撮影時間が短くなることになる。
【００４３】
図４は、交互撮影モードの動作フローである。
【００４４】
Ｓ４０１で上記図５に示した手順により交互動作モードに移行する。Ｓ４０２において光ディスクドライブをＯＦＦにして電力供給を停止する。次に、Ｓ４０３において電池端子電圧がＬＣＤ表示停止を促す際の電圧しきい値Ｚ２以下であるかを検出する。電池残量がＺ２以下の場合には、表示ＬＣＤの表示も停止する。ここでのしきい値Ｚ２は、前述の電池残量しきい値Ｚ１より小さい値である。
【００４５】
Ｓ４０５において撮影を開始する。撮像系の動作は前述に示したものと同様である。映像信号を圧縮処理してショックプルーフメモリ１１に蓄積し、Ｓ４０６でメモリの蓄積量が許容限界値であるＳＢ以上と検出されたらＳ４０７にて撮影を停止して、撮像系１０の電源をＯＦＦして電力の供給を停止する。尚、ＬＣＤが表示されている場合は、撮影停止前に警告表示することによりユーザーに告知することも可能である。また、ＬＣＤが表示されていない場合でもユーザーＩＦ部１３にあるＬＥＤ等の点滅させて、ユーザーに告知することが出来る。表示ＬＣＤは、撮像系起動時には撮影映像が表示され、ディスク記録時で撮像系が休止している場合は非表示の状態となっている。従って、少なくとも撮影中の映像はＬＣＤを通して確認することができる。
【００４６】
次にＳ４０８においてディスクドライブの電源をＯＮして電力を供給し起動する。ディスクドライブが起動されると所定の初期化処理を行う。その後サーボ制御を動作させ記録可能な状態に遷移する。
【００４７】
記録可能な状態に遷移した後、Ｓ４０９においてショックプルーフメモリ１１に保持されている映像データを光ディスクに記録する。メモリ内の映像データが全て記録されたら、Ｓ４０１において記録完了を確認して、Ｓ４１１において所定のシーケンスに従ってディスクドライブの電源をＯＦＦにし、電力の供給を停止する。
【００４８】
次に、Ｓ４１２において停止していた撮像系の電源をＯＮにし、撮像系に電力を供給する。以下、上記一連の動作シーケンスを繰り返すことにより撮影を継続するものである。
【００４９】
図８に上記交替動作モードのタイミングチャートを示す。図８（ａ）において縦軸がメモリ内のデータ蓄積量であり、横軸が時間を表す。図８（ｂ）にディスクドライブの動作を示し、図８（ｃ）に撮像系の動作を示す。
【００５０】
前述のＳ４０２に示すように交互動作モードに移行すると、ディスクドライブは電源ＯＦＦされ、休止状態となる。次に、Ｓ４０５において撮影が開始され、メモリ内で圧縮された映像データが蓄積される。時刻ｔ１においてデータ蓄積量がＳＢに達したことが検知されると、Ｓ４０７に示すように撮像系がＯＦＦとなり休止状態になる。するとＳ４０８においてディスクドライブがＯＮとなり、ｔ１〜ｔ２区間においてメモリ内のデータがディスクに記録される。ディスクへの記録が完了すると、時刻ｔ２においてディスクドライブの電源がＯＦＦとなり、再度撮像系が起動されて撮影可能状態となり、映像データがメモリに蓄積される。また、撮像系が起動されたあと、ユーザーの撮影開始ボタンを待って映像データをメモリに蓄積するようにしてもよい。
【００５１】
また、図６に示した従来の間欠動作と異なり図８に示す交互動作モードにおいては、前記データ蓄積量ＳＢは、メモリ容量の最大値Ａと同じ値とすることができる。即ち、交互動作時には、データ蓄積量がＳＢに達した時点で撮像系が停止されるので、それ以上データ蓄積量が増加しないからである。
【００５２】
以上のように、撮像系と光ディスク装置が交互に起動・休止されるので最大消費電力を所望の値以下に制御することが可能となる。
【００５３】
図９は、交互動作モード時の電池端子電圧と時間経過を示したものである。
【００５４】
しきい値Ｚ１は、交互動作モードに移行する際のしきい値であり、Ｚ２はＬＣＤ表示停止を促す際のしきい値である。また、しきい値Ｚ３はディスクドライブを起動し、記録動作を実行するのに最低限必要な電圧しきい値を示す。
【００５５】
撮影開始時の時刻ｔ１において、交互動作モード移行のしきい値Ｚ１以下であるので交互動作モードに移行して動作する。ｔ１〜ｔ２区間で撮像系が動作し、ｔ２〜ｔ３区間でディスクドライブが起動し記録動作が行われる。ｔ４〜ｔ５で再度撮像系が起動され以降交互にドライブ装置と撮像系が動作・休止を繰り返すことにより制御されので、同時動作により急峻に電圧降下することなく、少しずつ電圧が降下して電池残量を有効に使い切ることが可能となる。
【００５６】
以上、本実施例に示すディスクカメラにおいては、電池残量が少なくなり通常では電池交換が必要な状況においても、撮像系とディスクドライブ装置を交互に動作させることにより、撮影を継続することが可能となる。従って、交換する電池を持ち合わせていないような状況においても、柔軟に対応することができる。また、本実施例では連続動画撮影を説明しているが、静止画撮影のときも同様な効果が得られる。静止画撮影の場合は動画撮影の時と異なり、撮影が強制的に終了させられることがないので、ユーザーにとっては、撮影へのストレスなく電池寿命をのばせることになる。
【００５７】
また、本実施例においては、撮影開始時の電池残量を基に交互動作モードに移行する場合について説明しているが、撮影中に電池残量が所定値以下となった場合でも、電池残量検出部８０１の信号をコントローラ１４が常に監視することにより、例えば表示ＬＣＤに警告を表示した後、交互動作モードに移行することは可能である。この場合には、撮影中であっても交互動作モードに移行した時点で、撮像系またはドライブ装置を停止して、両者が同時に動作しないように制御される。
【００５８】
（第２の実施例）
本実施例は、静止画及び動画共に撮影及び記録可能なディスクカメラにおいて、特に静止画撮影時の省電力動作に特徴がある。基本構成は第１実施例と同様である。図１１に本実施例のディスクカメラの交互動作モードにおける動作フローを示す。
【００５９】
Ｓ６００で交互動作モードに移行すると、Ｓ６０１においてディスクドライブの電源がＯＦＦとなる。次に、静止画撮影がユーザーＩＦ部１３のボタン９０４により選択される。撮像系は静止画撮影に応じて処理パラメータ等が設定され、Ｓ６０３において撮影が行われる。
【００６０】
ここで、本実施例のディスクカメラにおいては、撮影した静止画を任意の時点でディスクに記録できるように記録ボタンが設置されている。尚、記録ボタンは、専用のボタンが設置されていなくても他のボタンと共用であっても構わない。また、表示部がタッチパネル式の場合などは、タッチパネルを介して設定することも可能である。
【００６１】
Ｓ６０４において記録ボタンが押し下げられたかを判別して、記録ボタンが押された場合にはＳ６０６において撮像系の電源がＯＦＦされ、次にディスクドライブの電源がＯＮとなる。一方、Ｓ６０４において記録ボタンが押されなかった場合には、Ｓ６０５においてメモリ蓄積量を検出して、メモリ蓄積量がＳＣ以上の場合には、Ｓ６０６において撮像系の電源をＯＦＦする。Ｓ６０５においてメモリ蓄積量がＳＣに満たない場合には、Ｓ６０３に移行し、続けて静止画撮影可能な状態となる。
【００６２】
Ｓ６０７においては、ディスクドライブの電源がＯＮとなりＳ６０８においてディスクへの記録が開始される。次に、Ｓ６０９においてメモリに蓄積されているデータの記録が完了すると、Ｓ６１０においてディスクドライブの電源がＯＦＦとなる。そしてＳ６１１において撮像系の電源がＯＮとなり、再度撮影が可能な状態となる。
【００６３】
図１２は本実施例のディスクカメラの交互動作モードにおけるタイミングチャートである。
【００６４】
図１２（ａ）は、縦軸がメモリ内のデータ蓄積量であり、横軸は経過時間である。図１２（ｂ）はドライブ装置の動作タイミングであり、図１２（ｃ）は、撮像系の動作タイミングである。
【００６５】
静止画撮影が開始されて複数回撮影された静止画のデータはメモリに順次蓄積される。時刻ｔ１において、前述の記録ボタンが押されると撮像系が休止され、ドライブが起動してメモリ内に蓄積された静止画データがｔ１〜ｔ２の区間においてディスクに記録される。
【００６６】
次に、ドライブが休止状態となり、再度撮像系が起動されて撮影が開始される。時刻ｔ３まで撮影した時点で、メモリ内のデータ蓄積量がしきい値ＳＣを超えると、撮像系が休止されドライブが起動されてデータが記録される。
【００６７】
以上のシーケンスに従って、撮像系とドライブ装置が交互に動作することにより電池残量が少ない場合においても、撮影を継続することが可能となる。尚、ここでは静止画撮影時の場合について説明したが、動画撮影の場合でも、メモリ蓄積量がしきい値に満たない時点で記録ボタンを押すことにより、任意の時点で記録動作に移行することが可能である。
【００６８】
本実施例のディスクカメラにおいては、記録ボタンを設けることにより、ユーザーが任意の時点で記録動作への移行を指定することができる。従って、電池残量が少ないときに、すぐにディスクに記録していまいたい場合などにも柔軟に対応できる。
【００６９】
（第３の実施例）
本実施例のディスクカメラは、基本的な構成及び動作は第１の実施例と同様である。従って説明は省略する。
【００７０】
本実施例においては、ディスクへの記録動作に移行する際のメモリ内のデータ蓄積量のしきい値設定に特徴がある。
【００７１】
図４に示す第１の実施例においては、メモリ蓄積量がＳＢ以上となった時点でディスクへの起動動作に移行している。この際のＳＢは、任意の固定値であるが、本実施例においては電池残量に応じてメモリ蓄積量のしきい値を可変とするものである。
【００７２】
図１３は、本実施例における電池残量とメモリ蓄積量のしきい値との関係を示したものである。図１３に示すように、電池残量に応じてメモリしきい値を以下のような変換式により設定する。 
Ｓｋ＝ｆ（Ｚｋ）  （式１）
ここで、Ｚｋは時刻ｋでの電池残量を表し、ＳｋはＺｋに対するメモリしきい値の値である。
【００７３】
変換関数ｆは、電池残量とメモリ蓄積量のしきい値の関係を表すものであり、所定の電池残量Ｚ１以上の場合は、しきい値Ｓ１でリミットされ、電池残量がそれ以下の場合は、電池残量の増加と共に、前記しきい値も大きくなる傾向を示すように設定される。
【００７４】
本実施例においては、撮像系起動の際の電池残量Ｚｋを検知し、式１によりショックプルーフメモリ１１のメモリ蓄積量のしきい値Ｓｋを設定する。そして撮影した映像が前記しきい値Ｓｋ以上となったら、撮像系の電源をＯＦＦして、ドライブを起動してディスクへの記録動作に移行する。
【００７５】
以上のように、本実施例においてはメモリ蓄積量のしきい値を、電池残量に応じて設定するので、電池残量が少ない場合には、より短い期間で映像データを記録するので、電圧低下による記録不能の状況を極力回避することができる。
【図面の簡単な説明】
【００７６】
【図１】本出願に係るディスクカメラのブロック図。
【図２】本出願に係るディスクカメラの撮像系のブロック図。
【図３】本出願に係るディスクカメラの光ディスク装置のブロック図。
【図４】第１の実施例のディスクカメラの動作フロー図。
【図５】第１の実施例のディスクカメラの動作フロー図。
【図６】通常撮影時のディスクカメラの動作タイミングチャート。
【図７】通常撮影時のディスクカメラの電圧変動を説明する図。
【図８】第１の実施例のディスクカメラの動作タイミングチャート。
【図９】第１の実施例のディスクカメラの電圧変動を説明する図。
【図１０】本出願に係るディスクカメラの電池部のブロック図。
【図１１】第２の実施例のディスクカメラの動作フロー図。
【図１２】第２の実施例のディスクカメラの動作タイミングチャート。
【図１３】第３の実施例のディスクカメラの動作を説明する図。
【図１４】本出願に係るディスクカメラのユーザーＩＦ部を説明する図。
【符号の説明】
【００７７】
１０  撮像系
１１  ショックプルーフメモリ
１２  光ディスク装置
１３  ユーザーＩＦ部
１４  コントローラ
１５  電池部
１０１  ズームレンズ
１０２  撮像素子
１０３  信号処理部
１０４  圧縮・伸張部
２０１  光ディスク
２０２  スピンドルモータ
２０３  光ピックアップ
２０４  レーザ駆動回路
【図１】
2006025214.tif 000003
【図２】
2006025214.tif 000004
【図３】
2006025214.tif 000005
【図４】
2006025214.tif 000006
【図５】
2006025214.tif 000007
【図６】
2006025214.tif 000008
【図７】
2006025214.tif 000009
【図８】
2006025214.tif 000010
【図９】
2006025214.tif 000011
【図１０】
2006025214.tif 000012
【図１１】
2006025214.tif 000013
【図１２】
2006025214.tif 000014
【図１３】
2006025214.tif 000015
【図１４】
2006025214.tif 000016